(57)【特許請求の範囲】
【請求項１】
複数本の光ファイバーから出射された光ビームを記録材料上に照射すると共に、主走査および副走査することにより画像を記録する画像記録装置であって、
複数本の光ファイバーを支持部材により一定ピッチＰで列設された状態で支持することにより構成された複数の光ファイバー列を備え、
前記複数の光ファイバー列は、主走査方向および副走査方向と交差する方向に互いに平行に配置され、
前記複数の光ファイバー列における互いに隣接する光ファイバー列の端部に位置する光ファイバーが、当該光ファイバーの列設方向に前記ピッチＰの整数倍だけずれた位置に配置され、
前記複数の光ファイバー列を構成する各光ファイバーの主走査方向の射影が一定ピッチＰＹで配置されるとともに、
前記複数の光ファイバー列に属する一つの光ファイバーの主走査方向の射影が、前記複数の光ファイバー列に属する他の光ファイバーの主走査方向の射影とは互いに重ならない位置に配置され、
前記支持部材は、その両面に前記複数の光ファイバー列の列設方向に沿って、多数のＶ溝が互いに同一のピッチでかつ光ファイバーの列設方向において同一位置に形成されており、
前記複数本の光ファイバーは、前記Ｖ溝により固定されて位置決めされる
ことを特徴とする画像記録装置。
【請求項２】
請求項１に記載の画像記録装置において、
前記複数の光ファイバー列は、副走査方向に対する角度を調整可能に配設された一対の光ファイバー列より構成される画像記録装置。
【請求項３】
請求項１に記載の画像記録装置において、
前記複数の光ファイバー列を構成する各光ファイバーの副走査方向の射影が、各光ファイバー列を構成する光ファイバーの副走査方向の射影と同一のピッチＰＸで配置される画像記録装置。
【請求項４】
請求項３に記載の画像記録装置において、
前記複数の光ファイバー列は、各々、等しい数の光ファイバーを備え、
前記複数の光ファイバー列の端部に位置する光ファイバーにおける主走査方向の位置が一致する画像記録装置。
【請求項５】
請求項１乃至請求項４いずれかに記載の画像記録装置において、
前記記録材料は光ビームにより発生する熱に反応して画像が記録される感熱材料である画像記録装置。
【発明の詳細な説明】
【０００１】
【発明の属する技術分野】
この発明は、光ビームを記録材料上に照射することにより画像を記録する画像記録装置に関する。
【０００２】
【従来の技術】
このような画像記録装置においては、半導体レーザ等の光源と接続された複数本の光ファイバーから出射される光ビームを、結像光学系等の光学系を介して記録材料上に照射すると共に、この光学系と記録材料とを相対的に主走査方向および副走査方向に移動させて主走査および副走査を実行することにより画像を記録する構成となっている。
【０００３】
このような画像記録装置においては、複数本の光ファイバーをアレイ状に列設した光ファイバー列が使用される。このような光ファイバー列においては、発光点の間隔を光ファイバーの外径寸法（光ファイバーにおけるクラッドの外径寸法）とほぼ同一の寸法とすることができる。
【０００４】
しかしながら、光ファイバーにおける光伝送部としてのコア径はクラッド系と比較して小さく、マルチモードファイバーの場合においてもコア系はクラッド系の二分の一以下である。このため、光ファイバーにおけるクラッド部分は記録面上で隙間となり、画像記録密度を低下させる。
【０００５】
このような問題を解決するため、光ファイバー列を主走査方向に対して所望の角度傾けることにより、走査線間の隙間の発生を防止している。しかしながら、このような構成を採用した場合においては、光ファイバーの本数の増加に対応して光学像のサイズが大きくなり、レンズ等の光学系のサイズを大きくする必要が生ずるという問題がある。
【０００６】
このような問題を解消するため、特開２０００−１４１７４９号公報においては、基板により一定ピッチＰで支持されたＮ列の光ファイバー列を副走査方向と平行な方向に配置すると共に、これらの光ファイバー列を光ファイバーのピッチＰの１／Ｎだけ副走査方向に順次ずらせて配置した画像記録装置が提案されている。
【０００７】
【発明が解決しようとする課題】
特開２０００−１４１７４９号公報に記載された画像記録装置は、光学系のサイズを大きくすることなく高密度な画像記録を可能とした点で優れたものではあるが、光ファイバーのピッチＰは比較的小さいことから、複数の光ファイバー列を光ファイバーのピッチＰの１／Ｎだけ副走査方向に順次ずらせて配置する際の位置決めが容易ではなく、その製作が困難であるという問題がある。
【０００８】
この発明は上記課題を解決するためになされたものであり、光学系のサイズを大きくすることなく高密度な画像記録を可能とすると共に、その製作が容易な画像記録装置を提供することを目的とする。
【０００９】
【課題を解決するための手段】
請求項１に記載の発明は、複数本の光ファイバーから出射された光ビームを記録材料上に照射すると共に、主走査および副走査することにより画像を記録する画像記録装置であって、複数本の光ファイバーを支持部材により一定ピッチＰで列設された状態で支持することにより構成された複数の光ファイバー列を備え、前記複数の光ファイバー列は、主走査方向および副走査方向と交差する方向に互いに平行に配置され、前記複数の光ファイバー列における互いに隣接する光ファイバー列の端部に位置する光ファイバーが、当該光ファイバーの列設方向に前記ピッチＰの整数倍だけずれた位置に配置され、前記複数の光ファイバー列を構成する各光ファイバーの主走査方向の射影が一定ピッチＰＹで配置されるとともに、前記複数の光ファイバー列に属する一つの光ファイバーの主走査方向の射影が、前記複数の光ファイバー列に属する他の光ファイバーの主走査方向の射影とは互いに重ならない位置に配置され、前記支持部材は、その両面に前記複数の光ファイバー列の列設方向に沿って、多数のＶ溝が互いに同一のピッチでかつ光ファイバーの列設方向において同一位置に形成されており、前記複数本の光ファイバーは、前記Ｖ溝により固定されて位置決めされることを特徴とする。
【００１０】
請求項２に記載の発明は、請求項１に記載の発明において、前記複数の光ファイバー列は、副走査方向に対する角度を調整可能に配設された一対の光ファイバー列より構成される。
【００１１】
請求項３に記載の発明は、請求項１に記載の発明において、前記複数の光ファイバー列を構成する各光ファイバーの副走査方向の射影が、各光ファイバー列を構成する光ファイバーの副走査方向の射影と同一のピッチＰＸで配置される。
【００１２】
請求項４に記載の発明は、請求項３に記載の発明において、前記複数の光ファイバー列は、各々、等しい数の光ファイバーを備え、前記複数の光ファイバー列の端部に位置する光ファイバーにおける主走査方向の位置が一致する。
【００１３】
請求項５に記載の発明は、請求項１乃至請求項４いずれかに記載の発明において、前記記録材料は光ビームにより発生する熱に反応して画像が記録される感熱材料である。
【００１４】
【発明の実施の形態】
以下、この発明の実施の形態を図面に基づいて説明する。図１はこの発明に係る画像記録装置の要部を示す斜視図である。
【００１５】
この画像記録装置は、制御部１１の駆動により点灯する多数の半導体レーザ１２と、半導体レーザ１２に連結された光ファイバー１３に対しその入射側の端部がファイバーコネクタアダプタ１４を介して接続された光ファイバーアレイ１５と、この光ファイバーアレイ１５の出射端１６と対向して配置された結像光学系１７と、その外周部に記録材料１８を装着した記録ドラム１９とを備える。
【００１６】
この画像記録装置においては、各半導体レーザ１２は、制御部１１の駆動により画像データ２１に対応して点灯する。半導体レーザ１２より出射された変調後の光ビームは、各光ファイバー１３、ファイバーコネクタアダプタ１４および光ファイバーアレイ１５を伝送され、光ファイバーアレイ１５の出射端１６より結像光学系１７に入射した後、結像光学系１７の作用により記録材料１８上に結像される。このときの記録材料１８上における光ビームのスポット径等は、ステッピングモータ２２の駆動により結像光学系１７の倍率を変更することで、所望の値に変更することが可能となっている。
【００１７】
この画像記録装置においては、各半導体レーザ１２を画像データ２１に対応して点灯した状態で、記録ドラム１９を回転させることにより記録材料１８を図１に示すＸ方向（主走査方向）に移動させると共に、結像光学系１７を図１に示すＹ方向（副走査方向）に移動させることにより、記録材料１８上に画像を記録する構成となっている。
【００１８】
なお、この実施形態においては、記録材料１８として、光ビームにより発生する熱に反応して画像が記録される感熱材料が使用されている。
【００１９】
図２は上述した光ファイバーアレイ１５における出射端１６の正面図である。
【００２０】
この光ファイバーアレイ１５は、複数本の光ファイバー１０が直線上に一定ピッチＰで配設された一対の光ファイバー列Ｌ１１、Ｌ１２を備える。これらの光ファイバー列Ｌ１１、Ｌ１２を構成する各光ファイバー１０は、光ファイバー１０の位置決め用の多数のＶ溝がその両面に形成された基板３２と、光ファイバー１０の位置決め用の多数のＶ溝がその片面に形成された一対の基板３１、３３との間に挟持され、位置決めされている。そして、一対の基板３１、３３は、一対の押圧板２２により固定されている。また、これらの基板３１、３２、３３は、一対の光ファイバー列Ｌ１１、Ｌ１２と共に、光ファイバーアレイ１５の出射端と垂直な軸（図２における紙面に垂直な軸）を中心に回転可能となっている。
【００２１】
次に、上述した光ファイバーアレイ１５における各光ファイバー１０の配置について説明する。図３および図４は、この発明の第１実施形態に係る各光ファイバー１０の配置を示す説明図である。
【００２２】
図３を参照して、上述したように、各光ファイバー列Ｌ１１、Ｌ１２においては、各々、光ファイバー１０が一定ピッチＰで列設されている。また、各光ファイバー列Ｌ１１、Ｌ１２の端部に位置する光ファイバーは、各光ファイバー列Ｌ１１、Ｌ１２における光ファイバー１０の列設方向に、ピッチＰだけずれた位置に配置されている。
【００２３】
また、この図に示すように、各光ファイバー列Ｌ１１、Ｌ１２は、Ｘ方向（主走査方向）およびＹ方向（副走査方向）と交差する方向に互いに平行に配置されている。このため、各光ファイバー列Ｌ１１、Ｌ１２の各光ファイバー１０の副走査方向の射影（主走査方向の配置）は一定ピッチＰＸ０となり、各光ファイバー列Ｌ１１、Ｌ１２の各光ファイバー１０の主走査方向の射影（副走査方向の配置）は一定ピッチＰＹ０となる。しかしながら、各光ファイバー列Ｌ１１、Ｌ１２間の主走査方向の射影の間隔（副走査方向の間隔）Ｐ０は、上記ピッチＰＹ０とは一致しない。
【００２４】
このような場合においては、図２および図３において矢印で示すように、基板３１、３２、３３を、一対の光ファイバー列Ｌ１１、Ｌ１２と共に、光ファイバーアレイ１５の出射端と垂直な軸（図２および図３における紙面に垂直な軸）を中心に回転させることにより、各光ファイバー１０の主走査方向の射影（副走査方向の配置）のピッチと、各光ファイバー列Ｌ１１、Ｌ１２間の主走査方向の射影の間隔（副走査方向の間隔）とを一致させる。
【００２５】
図４は、このような状態における各光ファイバー１０の配置を示す説明図である。
【００２６】
この状態においては、一対の光ファイバー列Ｌ１１、Ｌ１２を構成する各光ファイバー１０の主走査方向の射影（副走査方向の配置）は、各光ファイバー列Ｌ１１、Ｌ１２間の主走査方向の射影の間隔を含め、全てピッチＰＹで配置されることになる。このため、光ファイバーアレイ１５における出射端１６からは、ピッチＰＹで光ビームが出射されることになる。そして、後段に配置された結像光学系１７の倍率を変化させてこのピッチＰＹを調整することにより、記録材料１８上に照射される光ビームのピッチを、画像の記録に要求される解像度に対応したピッチと一致させることが可能となる。
【００２７】
この状態においては、各光ファイバー列Ｌ１１、Ｌ１２の各光ファイバー１０の副走査方向の射影（主走査方向の配置）はピッチＰＸとなっている。また、各光ファイバー列Ｌ１１、Ｌ１２の端部に位置する光ファイバー１０は、Ｘ方向（主走査方向）に距離ΔＹだけずれた位置に配置されている。このため、画像記録時における光ビームの出射タイミングを調整する必要がある。
【００２８】
図５は、光ビームの出射タイミングを示す説明図である。この図においては、各半導体レーザ１２に与えられる信号を時間軸に沿って表している。
【００２９】
各光ファイバー１０からの光ビームの出射タイミングは、各光ファイバー１０の副走査方向の射影（主走査方向の配置）のピッチＰＸと、各光ファイバー列の端部に位置する光ファイバーのＸ方向（主走査方向）の距離ΔＹと、結像光学系１７の倍率とによって決定される。
【００３０】
この図に示すＴＰＸは、各光ファイバー列Ｌ１１、Ｌ１２を構成する光ファイバー１０の主走査方向のピッチＰＸに起因する出射タイミングの遅延時間を示している。また、ＴΔＹは、各光ファイバー列Ｌ１１、Ｌ１２の端部に位置する光ファイバー１０のＸ方向（主走査方向）の距離ΔＹに起因する出射タイミングの遅延時間を示している。なお、光ビームの出射タイミングの調整は、制御部１１により各半導体レーザ１２の点灯タイミングを調整することにより実行される。
【００３１】
以上のように構成された画像記録装置においては、特開２０００−１４１７４９号公報に記載された画像記録装置のように、複数の光ファイバー列を光ファイバーのピッチＰの１／Ｎだけ副走査方向に順次ずらせて配置する必要がないことから、その製作が容易となる。
【００３２】
また、この画像記録装置においては、光ファイバー列Ｌ１１から光ファイバー列Ｌ１２に亘る部分を除き、各光ファイバー列Ｌ１１、Ｌ１２を構成する光ファイバー１０の主走査方向のピッチＰＸに起因する出射タイミングの遅延時間ＴＰＸを小さくすることができることから、ある光ファイバー１０から出射された光ビームが記録材料１８に照射された後、すぐに、次の光ファイバー１０から出射された光ビームが記録材料１８上に照射されることになる。このため、記録材料１８上で光ビームの照射による熱が拡散しないうちに次の光ビームが照射されることになり、感熱材料からなる記録材料１８の見かけ上の感度が向上するという効果を奏することになる。
【００３３】
次に、各光ファイバー１０の配置の第２実施形態について説明する。図６はこの発明の第２実施形態に係る各光ファイバー１０の配置を示す説明図である。なお、図６においては、実在する光ファイバー１０を太線で、仮想的に配置した光ファイバー１０を細線で、さらに、距離説明用に仮想的に配置した光ファイバー１０を破線で示している。
【００３４】
図２乃至図４に示す第１実施形態においては、同一数の光ファイバー１０を備えた一対の光ファイバー列Ｌ１１、Ｌ１２を使用している。一方、図６に示す第２実施形態においては、各々異なる数の光ファイバー１０を備えた複数の光ファイバー列Ｌ２１、Ｌ２２Ｌ、Ｌ２３、Ｌ２４を使用している。
【００３５】
これらの光ファイバー列Ｌ２１、Ｌ２２Ｌ、Ｌ２３、Ｌ２４を構成する各光ファイバー１０は、第１実施形態における基板３１、３２、３３と同様の、光ファイバー１０の位置決め用の多数のＶ溝がその両面に形成された３枚の基板４２、４３、４４と、光ファイバー１０の位置決め用の多数のＶ溝がその片面に形成された一対の基板４１、４５との間に挟持され、位置決めされている。
【００３６】
このように、複数の光ファイバー列Ｌ２１、Ｌ２２Ｌ、Ｌ２３、Ｌ２４を配置した場合においては、上述した第１実施形態のように光ファイバー列Ｌ１１、Ｌ１２を回転させることにより各光ファイバー１０の主走査方向の射影（副走査方向の配置）の位置を調整することはできない。このため、第２実施形態においては、後述する式に基づいて各光ファイバー１０の配置を決定している。
【００３７】
以下、各光ファイバー１０の配置について説明する。なお、以下の説明においては、２列目の光ファイバー列Ｌ２２と３列目の光ファイバー列Ｌ２３とに着目して説明するが、他の光ファイバー列についても同様である。
【００３８】
この第２実施形態に係る各光ファイバー列Ｌ２１、Ｌ２２、Ｌ２３、Ｌ２４においては、上述した第１実施形態の場合と同様、光ファイバー１０が一定ピッチＰで列設されている。また、各光ファイバー列Ｌ２１、Ｌ２２、Ｌ２３、Ｌ２４は、Ｘ方向（主走査方向）およびＹ方向（副走査方向）と交差する方向に互いに平行に配置されている。そして、第１実施形態の場合と同様、各光ファイバー１０の副走査方向の射影（主走査方向の配置）は一定ピッチＰＸとなっており、各光ファイバー１０の主走査方向の射影（副走査方向の配置）は一定ピッチＰＹとなっている。また、各光ファイバー列Ｌ２１、Ｌ２２、Ｌ２３、Ｌ２４を構成する光ファイバー１０の副走査方向の射影の位置は、一部において互いに一致している。
【００３９】
光ファイバー列Ｌ２２の後端（図６における上端）の光ファイバー１０の次に仮想的に配置した光ファイバーの中心をＨ、光ファイバー列Ｌ２３の先端（図６における下端）の光ファイバー１０の中心をＩ、Ｉから光ファイバー列Ｌ２２を構成する各光ファイバー１０の中心を連結する直線に向けて降ろした垂線と光ファイバー列Ｌ２２を構成する各光ファイバー１０の中心を連結する直線との交点をＧ、ＩからＹ方向（副走査方向）に延長した直線と光ファイバー列Ｌ２２を構成する各光ファイバー１０の中心を連結する直線との交点をＦとし、また、ＧとＨとの間隔をＤ、ＦとＧとの間隔をｋ・Ｐ（但し、ｋは整数、この実施例では整数ｋが２となる）、光ファイバー列Ｌ２２と光ファイバー列Ｌ２３との間隔をＷとする。なお、ＧとＩとは、光ファイバー列Ｌ２２上に仮想的に配置した光ファイバーの中心に配置されることになる。
【００４０】
この場合においては、三角形ＩＧＨと三角形ＦＧＩとは相似形であることから、Ｗ＝［ｋ・Ｐ・Ｄ］1/2 となる。すなわち、ＷはｋとＰとＤとの積のルートに等しくなる。また、各光ファイバー列Ｌ２１、Ｌ２２、Ｌ２３、Ｌ２４の主走査方向に対する傾斜角をθとしたとき、θ＝ｔａｎ-1（Ｗ／Ｄ）となる。すなわち、θはＷをＤで除した値の逆正接（アークタンジェント）と等しくなる。
【００４１】
以上の結果から、光ファイバー列Ｌ２２と光ファイバー列Ｌ２３との間隔Ｗが上記の式で計算される値となるように基板４３を製作し、これを上記の式で計算される角度θだけ傾けて配置することにより、各光ファイバー１０の副走査方向の射影（主走査方向の配置）は一部において互いに一致してピッチＰＸ、各光ファイバー１０の主走査方向の射影（副走査方向の配置）はピッチＰＹで配置さることになる。
【００４２】
以上のように構成された画像記録装置においても、特開２０００−１４１７４９号公報に記載された画像記録装置のように、複数の光ファイバー列を光ファイバーのピッチＰの１／Ｎだけ副走査方向に順次ずらせて配置する必要がないことから、その製作が容易となる。
【００４３】
また、この実施形態に係る画像記録装置においても、各光ファイバー列Ｌ２１、Ｌ２２Ｌ、Ｌ２３、Ｌ２４間に亘る部分を除き、各光ファイバー列Ｌ２１、Ｌ２２Ｌ、Ｌ２３、Ｌ２４を構成する光ファイバー１０の主走査方向のピッチＰＸに起因する出射タイミングの遅延時間ＴＰＸを小さくすることができることから、感熱材料からなる記録材料１８の見かけ上の感度が向上するという効果を奏することになる。
【００４４】
さらに、この実施形態に係る画像記録装置においては、各光ファイバー列Ｌ２１、Ｌ２２、Ｌ２３、Ｌ２４を構成する光ファイバー１０の副走査方向の射影の位置が一部において互いに一致しており、各光ファイバー１０における画像の記録タイミングの位相が一致していることから、画像の記録タイミングの制御、すなわち、制御部１１による半導体レーザ１２の駆動制御を容易に行うことが可能となる。
【００４５】
なお、この実施形態においては、この発明の構成を普遍的に説明するため、各光ファイバー列Ｌ２１、Ｌ２２Ｌ、Ｌ２３、Ｌ２４が各々異なる数の光ファイバーを備える場合について説明したが、各光ファイバー列が同一の数の光ファイバー１０を備えるようにしてもよい。
【００４６】
次に、各光ファイバー１０の配置の第３実施形態について説明する。図７はこの発明の第３実施形態に係る各光ファイバー１０の配置を示す説明図である。
【００４７】
図７に示す第３実施形態においては、同一の数の光ファイバー１０を備えた一対の光ファイバー列Ｌ３１、Ｌ３２を使用している。すなわち、図７に示す第３実施形態は、図６に示す第２実施形態において、光ファイバー列の数を２とし、これらの光ファイバー列Ｌ３１、Ｌ３２における光ファイバーの数を同一にしたものである。そして、この第３実施形態においては、各光ファイバー列Ｌ３１、Ｌ３２における先端（図７における下端）および後端（図７における上端）の光ファイバー１０の主走査方向の位置を、同一位置としている。
【００４８】
これらの光ファイバー列Ｌ３１、Ｌ３２を構成する各光ファイバー１０は、第１実施形態における基板３１、３２、３３と同様の、光ファイバー１０の位置決め用の多数のＶ溝がその両面に形成された基板５２と、光ファイバー１０の位置決め用の多数のＶ溝がその片面に形成された一対の基板５１、５３との間に挟持され、位置決めされている。
【００４９】
以上のように構成された画像記録装置においても、特開２０００−１４１７４９号公報に記載された画像記録装置のように、複数の光ファイバー列を光ファイバーのピッチＰの１／Ｎだけ副走査方向に順次ずらせて配置する必要がないことから、その製作が容易となる。
【００５０】
また、この実施形態に係る画像記録装置においても、各光ファイバー列Ｌ３１、Ｌ３２間に亘る部分を除き、各光ファイバー列Ｌ３１、Ｌ３２を構成する光ファイバー１０の主走査方向のピッチＰＸに起因する出射タイミングの遅延時間ＴＰＸを小さくすることができることから、感熱材料からなる記録材料１８の見かけ上の感度が向上するという効果を奏することになる。
【００５１】
さらに、この実施形態に係る画像記録装置においては、各光ファイバー列Ｌ３１、Ｌ３２を構成する光ファイバー１０の副走査方向の射影の位置が全て一致しており、各光ファイバー１０における画像の記録タイミングの位相が完全に一致していることから、画像の記録タイミングの制御、すなわち、制御部１１による半導体レーザ１２の駆動制御をより容易に行うことが可能となる。
【００５２】
なお、上述した実施形態においては、支持部材としての光ファイバー１０の位置決め用の多数のＶ溝が形成された基板３１、３２、３３、４１、４２、４３、４４、４５、５１、５２、５３により光ファイバー１０を位置決め、固定する構成となっているが、Ｕ溝等の他の形状の固定用溝等を利用して光ファイバー１０を固定、位置決めする構成としてもよい。
【００５３】
また、上述した実施形態においては、光ファイバー１０をＶ溝が形成された２枚の基板の間に固定したが、平面の基板とＶ溝が形成された基板との間に光ファイバー１０を固定してもよい。
【００５４】
なお、図３、図４を用いて説明した実施形態では、基板３１、３２、３３を回転させることにより、光ファイバー列間の主走査方向の射影の間隔が均一になるようにした。一方、図６、図７を用いて説明した実施形態では、基板は、初めから光ファイバー列間の主走査方向の射影の間隔が均一になるように設計されているものとして説明した。しかし、基板の公差を解消するために、基板を回転させて微調整を行うこともある。この場合も本発明の範囲に含まれることはいうまでもない。
【００５５】
【発明の効果】
請求項１に記載の発明によれば、複数本の光ファイバーを支持部材により一定ピッチＰで列設された状態で支持することにより構成された複数の光ファイバー列を備え、複数の光ファイバー列は主走査方向および副走査方向と交差する方向に互いに平行に配置され、複数の光ファイバー列における互いに隣接する光ファイバー列の端部に位置する光ファイバーが当該光ファイバーの列設方向にピッチＰの整数倍だけずれた位置に配置され、複数の光ファイバー列を構成する各光ファイバーの主走査方向の射影が一定ピッチＰＹで配置されることから、光学系のサイズを大きくすることなく高密度な画像記録を実行することが可能となる。このとき、複数の光ファイバー列を光ファイバーのピッチＰの１／Ｎだけ副走査方向に順次ずらせて配置する必要はないことから、その製作が容易となる。
【００５６】
請求項２に記載の発明によれば、複数の光ファイバー列が副走査方向に対する角度を調整可能に配設された一対の光ファイバー列より構成されることから、光ファイバー列間の位置の調整が容易となる。
【００５７】
請求項３に記載の発明によれば、複数の光ファイバー列を構成する各光ファイバーの副走査方向の射影が各光ファイバー列を構成する光ファイバーの副走査方向の射影と同一のピッチＰＸで配置されることから、画像の記録タイミングの制御が容易となる。
【００５８】
請求項４に記載の発明によれば、複数の光ファイバー列が各々等しい数の光ファイバーを備え、複数の光ファイバー列の端部に位置する光ファイバーにおける主走査方向の位置が一致することから、画像の記録タイミングの制御がさらに容易となる。
【００５９】
請求項５に記載の発明によれば、記録材料が光ビームにより発生する熱に反応して画像が記録される感熱材料に対し、光ファイバーの主走査方向のピッチＰＸを小さくして見かけ上の感度を向上させることが可能となる。
【図面の簡単な説明】
【図１】  この発明に係る画像記録装置の要部を示す斜視図である。
【図２】  光ファイバーアレイ１５における出射端１６の正面図である。
【図３】  この発明の第１実施形態に係る各光ファイバー１０の配置を示す説明図である。
【図４】  この発明の第１実施形態に係る各光ファイバー１０の配置を示す説明図である。
【図５】  光ビームの出射タイミングを示す説明図である。
【図６】  この発明の第２実施形態に係る各光ファイバー１０の配置を示す説明図である。
【図７】  この発明の第３実施形態に係る各光ファイバー１０の配置を示す説明図である。
【符号の説明】
１０      光ファイバー
１１      制御部
１２      半導体レーザ
１３      光ファイバー
１４      ファイバーコネクタアダプタ
１５      光ファイバーアレイ
１６      出射端
１７      結像光学系
１８      記録材料
１９      記録ドラム
２１      画像データ
２２      ステッピングモータ
３１      基板
３２      基板
３３      基板
４１      基板
４２      基板
４３      基板
４４      基板
４５      基板
５１      基板
５２      基板
５３      基板
Ｌ１１    光ファイバー列
Ｌ１２    光ファイバー列
Ｌ２１    光ファイバー列
Ｌ２２    光ファイバー列
Ｌ２３    光ファイバー列
Ｌ２４    光ファイバー列
Ｌ３１    光ファイバー列
Ｌ３２    光ファイバー列
【図１】
0003808327.tif 000002
【図２】
0003808327.tif 000003
【図３】
0003808327.tif 000004
【図４】
0003808327.tif 000005
【図５】
0003808327.tif 000006
【図６】
0003808327.tif 000007
【図７】
0003808327.tif 000008